(57)【特許請求の範囲】
【請求項１】
セルラー通信システム内で基地局と接続されるユーザ機器（ＵＥ）における、ＨＡＲＱプロセスにおいてエラーを回避するための方法であって、
２つの異なるスケジューリングモードがサポートされ、前記モードは、前記基地局がスケジューリングメッセージを前記ＵＥに送信してアップリンク及びダウンリンク送信についていずれのリソースが割当てられたかを指示する動的スケジューリング、並びに、新たな送信が事前割当てされたリソース（ＳＰＳリソース）上で行われる半永続的なスケジューリング（ＳＰＳ）であり、
ＳＰＳモードについてのスケジューリングメッセージ内に含まれるＮＤＩフラグは、ＳＰＳのアクティブ化又はＳＰＳ再送信の指示として解釈され、動的スケジューリングモードについてのスケジューリングメッセージ内に含まれるＮＤＩフラグは、当該フラグの切り替えによって新たな送信の指示として解釈され、
スケジューリングメッセージ内で、動的にスケジューリングされる送信が行われるという指示を受信するステップを含み；
同じＨＡＲＱプロセスについて動的にスケジューリングされる送信の前記指示が受信される前に行われた送信がＳＰＳのリソースを使用していた場合に、前記ＮＤＩフラグの値に関わらず、受信した前記スケジューリングメッセージ内の前記ＮＤＩフラグを切り替えられていると見なし、これにより動的にスケジューリングされる送信の前記指示が新たな送信の指示として解釈されることを特徴とする；
方法。
【請求項２】
前記スケジューリングメッセージは、前記基地局が前記ＵＥからの新たなデータの送信を要求するための、アップリンク許可を含む、請求項１に記載の方法。
【請求項３】
前記ＵＥは、動的にスケジューリングされる送信が行われるという指示として：前記スケジューリングメッセージがＣ−ＲＮＴＩ若しくはテンポラリＣ−ＲＮＴＩにアドレッシングされるか、又は前記スケジューリングメッセージがランダムアクセス応答内で受信された、というもののうち１つを使用する、請求項２に記載の方法。
【請求項４】
前記スケジューリングメッセージは、前記基地局が前記ＵＥへの新たなデータの送信を指示するための、ダウンリンク割当てを含む、請求項１に記載の方法。
【請求項５】
前記ＵＥは、動的にスケジューリングされる送信が行われるという指示として：前記スケジューリングメッセージがＣ−ＲＮＴＩ若しくはテンポラリＣ−ＲＮＴＩにアドレッシングされるか、又はＲＡ−ＲＮＴＩ、即ちランダムアクセスＲＮＴＩにアドレッシングされる、というもののうち１つを使用する、請求項４に記載の方法。
【請求項６】
前記ＵＥは、前記スケジューリングメッセージを物理ダウンリンク制御チャネル（ＰＤＣＣＨ）上で受信する、請求項１〜５のいずれかに記載の方法。
【請求項７】
セルラー通信システム内の基地局と接続可能で、ＨＡＲＱプロセスにおいてエラーを回避するように構成されるユーザ機器（ＵＥ）（５００）であって、
２つの異なるスケジューリングモードがサポートされ、前記モードは、前記基地局がスケジューリングメッセージを前記ＵＥに送信してアップリンク及びダウンリンク送信についていずれのリソースが割当てられたかを指示する動的スケジューリング、並びに、新たな送信が事前割当てされたリソース（ＳＰＳリソース）上で行われる半永続的なスケジューリング（ＳＰＳ）であり、
ＳＰＳモードについてのスケジューリングメッセージ内に含まれるＮＤＩフラグは、ＳＰＳのアクティブ化又はＳＰＳ再送信の指示として解釈され、動的スケジューリングモードについてのスケジューリングメッセージ内に含まれるＮＤＩフラグは、当該フラグの切り替えによって新たな送信の指示として解釈され、
スケジューリングメッセージ内で、動的にスケジューリングされる送信が行われるという指示を受信するように構成される、送受信部（５１０）を含み；
同じＨＡＲＱプロセスについて動的にスケジューリングされる送信の前記指示が受信される前に行われた送信がＳＰＳのリソースを使用していたかをチェックし、そうした状況が満たされている場合、前記ＮＤＩフラグの値に関わらず、前記ＮＤＩフラグを切り替えられていると見なし、これにより動的にスケジューリングされる送信の前記指示が新たな送信の指示として解釈されるように構成される、処理部（５２０）を特徴とする；
ＵＥ。
【請求項８】
前記スケジューリングメッセージは、前記基地局が前記ＵＥからの新たなデータの送信を要求するための、アップリンク許可を含む、請求項７に記載のＵＥ。
【請求項９】
前記ＵＥは、動的にスケジューリングされる送信が行われるという指示として：前記スケジューリングメッセージがＣ−ＲＮＴＩ若しくはテンポラリＣ−ＲＮＴＩにアドレッシングされるか、又は前記スケジューリングメッセージがランダムアクセス応答内で受信された、というもののうち１つを使用するように構成される、請求項８に記載のＵＥ。
【請求項１０】
前記スケジューリングメッセージは、前記基地局が前記ＵＥへの新たなデータの送信を指示するための、ダウンリンク割当てを含む、請求項７に記載のＵＥ。
【請求項１１】
前記ＵＥは、動的にスケジューリングされる送信が行われるという指示として：前記スケジューリングメッセージがＣ−ＲＮＴＩ若しくはテンポラリＣ−ＲＮＴＩにアドレッシングされるか、又はＲＡ−ＲＮＴＩ、即ちランダムアクセスＲＮＴＩにアドレッシングされる、というもののうち１つを使用するように構成される、請求項１０に記載のＵＥ。
【請求項１２】
前記送受信部（５１０）は、前記スケジューリングメッセージを物理ダウンリンク制御チャネル（ＰＤＣＣＨ）上で受信するように構成される、請求項７〜１１のいずれかに記載のＵＥ。
【請求項１３】
セルラー通信システム内でＵＥと接続される基地局における、ＨＡＲＱプロセスにおいてエラーを回避するための方法であって、
２つの異なるスケジューリングモードがサポートされ、前記モードは、前記基地局がスケジューリングメッセージを前記ＵＥに送信してアップリンク及びダウンリンク送信についていずれのリソースが割当てられたかを指示する動的スケジューリング、並びに、新たな送信が事前割当てされたリソース（ＳＰＳリソース）上で行われる半永続的なスケジューリング（ＳＰＳ）であり、
ＳＰＳモードについてのスケジューリングメッセージ内に含まれるＮＤＩフラグは、ＳＰＳのアクティブ化及びＳＰＳ再送信の指示として解釈され、動的スケジューリングモードについてのスケジューリングメッセージ内に含まれるＮＤＩフラグは、当該フラグの切り替えによって新たな送信の指示として解釈され、
前記ＵＥへのスケジューリングメッセージ内で、動的にスケジューリングされる送信が行われることを指示するステップを含み；
同じＨＡＲＱプロセスについて動的にスケジューリングされる送信の前記指示が送信される前に行われた送信がＳＰＳのリソースを使用していた場合に、前記スケジューリングメッセージ内の前記ＮＤＩフラグを任意の値に設定し、
動的にスケジューリングされる送信の前記指示の前に同じＨＡＲＱプロセスについてＳＰＳのリソースを使用した送信が行われていなかった場合に、前記スケジューリングメッセージ内の前記ＮＤＩフラグを前回の値から切り替え、
対象とする前記ＨＡＲＱプロセスについてのステータスとして前記任意の値又は前記切替えられた値を採用する、
ことを特徴とする；
方法。
【請求項１４】
ＮＤＩの前記任意の値を設定する前記ステップは、常に１又は常に０のような所定のＮＤＩを設定することを含む、請求項１３に記載の方法。
【請求項１５】
ＮＤＩの前記任意の値を設定する前記ステップは、０及び１のうちの任意の値を設定することを含む、請求項１３に記載の方法。
【請求項１６】
セルラー通信システム内でＵＥと接続可能で、ＨＡＲＱプロセスにおいてエラーを回避するように構成される基地局（６００）であって、
２つの異なるスケジューリングモードがサポートされ、前記モードは、前記基地局がスケジューリングメッセージを前記ＵＥに送信してアップリンク及びダウンリンク送信についていずれのリソースが割当てられたかを指示する動的スケジューリング、並びに、新たな送信が事前割当てされたリソース（ＳＰＳリソース）上で行われる半永続的なスケジューリング（ＳＰＳ）であり、
前記基地局は、ＵＥ（５００）との間の通信におけるＨＡＲＱプロセスにおいて、ＳＰＳモードについてのスケジューリングメッセージにおいては、ＳＰＳのアクティブ化又はＳＰＳ再送信の指示として解釈されるようにＮＤＩフラグを使用し、動的スケジューリングモードについてのスケジューリングメッセージにおいては、当該フラグの切り替えによって新たな送信の指示として解釈されるようにＮＤＩフラグを使用するよう構成され、
動的な送信をスケジューリングするように構成されるスケジューリング部（６０１）と；
前記ＵＥへのスケジューリングメッセージ内で、動的にスケジューリングされる送信が行われるという指示を送信するように構成される送受信部（６１０）と；
同じＨＡＲＱプロセスについて動的にスケジューリングされる送信の前記指示が送信される前に行われた送信がＳＰＳのリソースを使用していたかをチェックし、そうした状況が満たされている場合、前記ＮＤＩフラグを任意の値に設定し、当該状況が満たされていない場合、前記スケジューリングメッセージ内の前記ＮＤＩフラグを前回の値から切り替え、対象とする前記ＨＡＲＱプロセスについてのステータスとして前記任意の値又は前記切替えられた値を採用する、ように構成される処理部（６２０）と；
を含む、基地局。
【請求項１７】
前記処理部は、前記任意の値として常に１又は常に０のような所定のＮＤＩを常に設定するように構成される、請求項１６に記載の基地局。
【請求項１８】
前記処理部は、前記任意の値として０及び１のうちの任意の値に設定するように構成される、請求項１６に記載の基地局。
【発明の詳細な説明】
【技術分野】
【０００１】
本発明は、半永続的なスケジューリング及び動的にスケジューリングされる送信の両方のために使用されるＨＡＲＱプロセスに関する。
【背景技術】
【０００２】
効率的なリンクの利用を実現するために、現代の無線インタフェースプロトコルは、ハイブリッド自動再送要求（ＨＡＲＱ）をサポートしている。ＨＡＲＱ送信は、（例えばターボ符号を使用することによって）チャネル符号化されたデータユニットを受信者へ送信することを特徴とする。受信者は、受信の成功（ＡＣＫ）又は受信の失敗（ＮＡＣＫ）のいずれかを指示するフィードバック信号を伴って応答する。ＮＡＣＫが受信される場合、データ送信者は、同じデータユニットの同じか又は別の所謂冗長バージョンを再送信する。ＨＡＲＱ受信機は、特定のデータユニットについての全ての受信した冗長バージョンをソフト合成する。各端末について、送信ユニット（例えばｅＮｏｄｅＢのような基地局）内に１つのＨＡＲＱエンティティ、及び受信ユニット（例えばユーザ機器（ＵＥ））内に１つのＨＡＲＱエンティティが存在する。各ＨＡＲＱエンティティは、複数の並列のＨＡＲＱプロセスをホスティングする。
【０００３】
ＬＴＥ無線アクセスは、スケジューリングされる送信を使用することを意図しており、即ち共有される送信リソースは、非常に短いタイムスケールでユーザに割当てられ得る。アップリンク送信についてのリソース割当てを決定するスケジューラは、基地局内に位置する。ＬＴＥにおけるスケジューラについての主な動作のモードは、動的スケジューリングであると考えられ、それにより基地局は、スケジューリングメッセージ、即ちアップリンク許可又はダウンリンク割当てをＵＥへ送信し、どの物理リソースにアップリンク送信及びダウンリンク受信について割当てられているかを指示する。基地局は、また、アップリンク及びダウンリンクの両方においてどのようにデータ送信が符号化され及び変調されることになるかを指示する。非同期ＨＡＲＱが想定されるダウンリンクについて、ＨＡＲＱプロセスのＩＤ及び冗長バージョンを含む情報は、スケジューリング割当ての一部として制御チャネル上に含まれる。アップリンクについては同期ＨＡＲＱプロトコルが想定されているため、採用されるＨＡＲＱプロセスのＩＤ及び冗長バージョンは、送信のタイミングと連動している。そのため、この情報は、アップリンク許可においてもアップリンクの制御チャネル上のアップリンク送信と並列にも送信されない。代わりに、送信者及び受信者の両方は、プロセスＩＤ及び冗長バージョンを送信ステータスから取得し得る。
【０００４】
ＬＴＥ  ＭＡＣの仕様は、２つの異なるスケジューリングモードをサポートしている。動的スケジューリングは、各最初の（新たな）データ送信が制御チャネル（ＰＤＣＣＨ：Physical  Downlink  Control  Channel）を介して指示されるモードである。半永続的なスケジューリング（ＳＰＳ）は、各最初の（新たな）送信が事前割当てされたリソース上で行われる、即ち、無線リソースが時間及び周波数領域において既知であるモードである。そのため、ＳＰＳ技術は、最初のデータ送信についての（ダウンリンクデータ送信の）割当て又は（アップリンクデータ送信の）許可を不必要なものとし、従って、制御シグナリングのリソースを節約する。
【０００５】
動的スケジューリングは、比較的大きなシグナリングオーバヘッドを要する。このオーバヘッドを低減するために、所謂半永続的なスケジューリング（ＳＰＳ）をサポートすることが３ＧＰＰにおいて決定されている。ＳＰＳにおいて、（アップリンクの）スケジューリング許可又は（ダウンリンクの）スケジューリング割当ての周期性は、ＲＲＣ（Radio  Resource  Control）プロトコルを介して設定される。ＳＰＳは、ＰＤＣＣＨ上で許可／割当てを送信することによって開始される。
【０００６】
ＬＴＥにおいてＰＤＣＣＨ上のＵＥの識別は、ＣＲＣ（巡回冗長検査）ビットを再使用することによって行われる。メッセージがＰＤＣＣＨ上を送信される際、正しいＣ−ＲＮＴＩを用いてスクランブルを解くＵＥのみが成功裏にＣＲＣを得られるように、ＵＥのアイデンティティ（典型的にはＣ−ＲＮＴＩ）がＣＲＣとスクランブルされる。他のＵＥは、異なるＣ−ＲＮＴＩを用いてスクランブルをかけ、そのＣＲＣは不成功に終わるであろう。そのため、それらは、ＰＤＣＣＨ上のコマンドを破棄するであろう。ＳＰＳについては別のＣ−ＲＮＴＩ、ＳＰＳ  Ｃ−ＲＮＴＩが使用される。そのため、ＵＥは、ＰＤＣＣＨ上の受信した割当て／許可が動的な許可／割当て、又は半永続的な許可／割当てのいずれであるかを、どのＣ−ＲＮＴＩが使用されるかに基づいて区別することができる。基地局は、異なるＣ−ＲＮＴＩを一意にＵＥへ割当てることに責任を有する。
【０００７】
そのため、半永続的なスケジューリングの動作は、次の特徴を有する：
・ＳＰＳの設定は、ＲＲＣプロトコルを介して行われる、即ち、（ＨＡＲＱ再送信に対して）新たな送信のために使用され得るリソースが設定される。
・ＳＰＳが設定される場合、実際のアクティブ化は、ＰＤＣＣＨメッセージをもって行われる。そのため、ＰＤＣＣＨ信号を使用して、ＲＲＣ設定されたパラメータを伴うＳＰＳのリソースの使用がアクティブ化される。
・新たなＨＡＲＱ送信は、与えられたＳＰＳのリソース割当てにおいて送信される。
・要求される再送信は、動的にスケジューリングされる（一方、ＨＡＲＱプロセスは、やはり半永続的なプロセスである。このことは、最初の送信が動的にスケジューリングされるという動的なＨＡＲＱ送信と混同されるべきでない）、即ち、ＰＤＣＣＨメッセージを使用して、再送信を指示する。
・半永続的なスケジューリングのために使用されるＨＡＲＱプロセスは、動的にスケジューリングされる送信のためにも使用され得る、即ち、あるＨＡＲＱプロセスは、ＳＰＳ又は動的スケジューリングのいずれかに縛られない。例えば、動的ＨＡＲＱプロセスがまだ継続中であり、ＰＤＣＣＨのＳＰＳのアクティブ化が受信される（ＳＰＳ  Ｃ−ＲＮＴＩによって指示される）場合、動的プロセスは、終了し、ＳＰＳのＨＡＲＱプロセスは、既存のデータを無効にし、送信は、事前割当てされたリソース上で行われるため、ＳＰＳのアクティブ化に続く次のＳＰＳ送信のためにＰＤＣＣＨメッセージは、送信されない。一方、ＳＰＳプロセスが使用中であり、動的ＨＡＲＱ送信がスケジューリングされる（Ｃ−ＲＮＴＩによって指示される）場合、ＰＤＣＣＨメッセージは、送信されなければならない。
【０００８】
スケジューリングメッセージ、即ち、アップリンク許可又はダウンリンク割当てを含むＰＤＣＣＨメッセージは、ＮＤＩ（New  Data  Indicator）というフィールドを含む。フィールドのサイズは、目下１ビットである。ＮＤＩビットは、ＨＡＲＱのエラーケースを解決するために重要なインジケータであり、元々は動的スケジューリングモードのために導入された。
【０００９】
動的スケジューリングについて、即ち、最初の送信が動的にスケジューリングされる場合、ＮＤＩビットは、各新たな送信をもって切り替えられる。そのため、値は、新たな送信について０又は１のいずれかであり得、個別のＭＡＣプロトコルデータユニット（ＰＤＵ）についての対応するＨＡＲＱ再送信について同じ値を維持するであろう。ダウンリンク送信について、これは、新たなＨＡＲＱ送信が開始されるのか又は再送信が期待されているのかを、ＵＥが検知することを可能とする。結果として、それは、（新たな送信の場合）ＨＡＲＱバッファをフラッシュするか、又はソフトバッファ内の既存の中身と再送信信号をソフト合成（soft-combine）しようと試みる。アップリンク送信について、ＮＤＩは、ＵＥが前回送信されたデータを再送信することを期待されているのか、又はプロセスをフラッシュし、動的に割当てられるリソースにおける送信についてより高いレイヤから新たなデータが取得されることになるのかを指示する。
【００１０】
一方、対応するＰＤＣＣＨ信号において、ＳＰＳのアクティブ化は、ＮＤＩ＝０という値を使用し、ＳＰＳ再送信は、ＮＤＩ＝１という値を使用することが決定されている。そのため、ＰＤＣＣＨ上においてユーザ機器（ＵＥ）をアドレッシングするために使用されるＲＮＴＩ値に応じて、ＮＤＩビットの２つの異なる解釈が存在する。ＳＰＳ  Ｃ−ＲＮＴＩが使用される場合、ＮＤＩは、ＳＰＳがアクティブ化されるのか又は再送信信号が送信されるのかを決定する。動的にスケジューリングされるＨＡＲＱプロセスについて、ＮＤＩは、前の説明とは異なる意味を有する。
【発明の概要】
【発明が解決しようとする課題】
【００１１】
新たな解釈が導入されるため、ＳＰＳのアクティブ化及びＳＰＳについての再送信の指示のためにＮＤＩビットを使用する決定は、問題につながる。
【００１２】
ＳＰＳのリソースに関連付けられるＨＡＲＱプロセスが動的にスケジューリングされるＨＡＲＱ送信によって一時的に使用されるケースでは、ＨＡＲＱプロセスが排他的に動的にスケジューリングされる場合のようにＮＤＩ値を適用することはできない。
【００１３】
ＮＤＩビットは、ＨＡＲＱプロセスとの関連において記憶され、ＨＡＲＱプロセスは、ＳＰＳプロセス又は動的にスケジューリングされるプロセスのいずれかであり得るため、以前ＳＰＳのリソースに基づいて使用されたプロセスにおいて最初の動的にスケジューリングされるＨＡＲＱ送信が行われる場合、ＳＰＳに関連するＮＤＩは、動的なＨＡＲＱプロセスのコンテクストにおいて解釈されるため、目下の仕様は、誤った動作につながるであろう。
【００１４】
上述の問題を緩和することが、本発明の目的である。
【課題を解決するための手段】
【００１５】
本発明の１つの観点は、セルラー通信システム内で基地局と接続されるユーザ機器（ＵＥ）における、ＨＡＲＱプロセスにおいてエラーを回避するための方法に関し、半永続的なスケジューリング（ＳＰＳ）のアクティブ化又はＳＰＳ再送信の指示、及び動的スケジューリングモードにおける新たな送信のフラグの切り替えによる指示、の双方のためにＮＤＩフラグは使用される。上記方法は、
スケジューリングメッセージ内で、動的にスケジューリングされる送信が行われるという指示を受信するステップと；
動的にスケジューリングされる送信についての指示の前回の受信以降、同じＨＡＲＱプロセスについて半永続的なリソースが発生した場合に、上記ＮＤＩフラグの値に関わらず、上記ＮＤＩフラグを切り替えられていると見なすステップと；
を含む。
【００１６】
そのため、本発明の実施形態によれば、ＨＡＲＱプロセスが半永続的なスケジューリング（ＳＰＳ）のために使用される前に受信された前回の動的にスケジューリングされたＮＤＩ値は、ＵＥによって無視され、これにより、上記ＨＡＲＱプロセスがＳＰＳのために使用された後に送信の動的スケジューリングについての最初の指示において受信されるいずれのＮＤＩ値をも採用し、これにより、上記ＮＤＩフラグは、切り替えられたと見なされる。
【００１７】
上記スケジューリングメッセージは、上記基地局が上記ＵＥからの新たなデータの送信を要求するための、アップリンク許可を含んでよい。上記ＵＥは、動的にスケジューリングされる送信が行われるという指示として：上記スケジューリングメッセージがＣ−ＲＮＴＩ若しくはテンポラリＣ−ＲＮＴＩにアドレッシングされるか、又は上記スケジューリングメッセージがランダムアクセス応答内で受信された、というもののうち１つを使用してよい。
【００１８】
上記スケジューリングメッセージは、上記基地局が上記ＵＥへの新たなデータの送信を指示するための、ダウンリンク割当てを代わりに含んでよい。上記ＵＥは、動的にスケジューリングされる送信が行われるという指示として：上記スケジューリングメッセージがＣ−ＲＮＴＩ若しくはテンポラリＣ−ＲＮＴＩにアドレッシングされるか、又はＲＡ−ＲＮＴＩ、即ちランダムアクセスＲＮＴＩにアドレッシングされる、というもののうち１つを使用してよい。
【００１９】
上記ＵＥは、上記スケジューリングメッセージを物理ダウンリンク制御チャネル（ＰＤＣＣＨ）上で受信してよい。
【００２０】
本発明の第２の観点は、セルラー通信システム内の基地局と接続可能で、ＨＡＲＱプロセスにおいてエラーを回避するように構成されるユーザ機器（ＵＥ）に関し、半永続的なスケジューリング（ＳＰＳ）のアクティブ化又はＳＰＳ再送信の指示、及び動的スケジューリングモードにおける新たな送信のフラグの切り替えによる指示、の双方のためにＮＤＩフラグは使用される。ＵＥは、
スケジューリングメッセージ内で、動的にスケジューリングされる送信が行われるという指示を受信するように構成される、送受信部と；
動的にスケジューリングされる送信についての指示の前回の受信以降、同じＨＡＲＱプロセスについて半永続的なリソースが発生したかをチェックし、上記状況が満たされている場合、上記ＮＤＩフラグの値に関わらず、上記ＮＤＩフラグを切り替えられていると見なすように構成される、処理部と；
を含む。
【００２１】
本発明の第３の観点は、セルラー通信システム内でＵＥと接続される基地局における、ＨＡＲＱプロセスにおいてエラーを回避するための方法に関し、半永続的なスケジューリング（ＳＰＳ）のアクティブ化及びＳＰＳ再送信の指示、並びに動的スケジューリングモードにおける新たな送信のフラグの切り替えによる指示、の双方のためにＮＤＩフラグは使用される。上記方法は、
上記ＵＥへのスケジューリングメッセージ内で、動的にスケジューリングされる送信が行われることを指示するステップと；
動的にスケジューリングされる送信についての上記ＵＥへの前回の指示以降、同じＨＡＲＱプロセスについて半永続的なリソースが発生した場合に、上記ＮＤＩフラグをいずれかの値に設定し、上記ＮＤＩフラグの値に関わらず、上記ＮＤＩフラグを切り替えられていると見なすステップと；
を含む
【００２２】
そのため、この実施形態によれば、上記基地局によって実行される上記方法は、上記ＮＤＩフラグを０若しくは１、又は任意の値に設定するステップを含み、これにより、上記ＵＥは、上記ＮＤＩ値を上記フラグの値と無関係で、切り替えられたと見なすであろう。
【００２３】
本発明の第４の観点は、セルラー通信システム内でＵＥと接続可能で、ＨＡＲＱプロセスにおいてエラーを回避するように構成される基地局に関し、上記基地局は、ＵＥとの間の通信におけるＨＡＲＱプロセスにおいて、半永続的なスケジューリング（ＳＰＳ）のアクティブ化又はＳＰＳ再送信の指示、及び動的スケジューリングモードにおける新たな送信のフラグの切り替えによる指示、の双方のためにＮＤＩフラグを使用するように構成される。上記基地局は、
動的な送信をスケジューリングするように構成されるスケジューリング部と；
上記ＵＥへのスケジューリングメッセージ内で、動的にスケジューリングされる送信が行われるという指示を送信するように構成される送受信部と；
動的にスケジューリングされる送信についての上記ＵＥへの前回の指示以降、同じＨＡＲＱプロセスについて半永続的なリソースが発生したかをチェックし、上記状況が満たされている場合、上記ＮＤＩフラグをいずれかの値に設定し、上記ＮＤＩフラグの値に関わらず、上記ＮＤＩフラグを切り替えられていると見なすように構成される処理部と；
を含む。
【００２４】
上記基地局は、例えばｅＮｏｄｅＢであってよい。
【００２５】
そのためこの実施形態において、上記基地局は、ＨＡＲＱプロセスがＳＰＳのために使用された後の動的スケジューリングについての最初の決定において、上記フラグ（ＮＤＩ）の値を０若しくは１、又は任意の値に設定するための手段を含む。
【００２６】
ダウンリンクにおいて適用される本発明の実施形態によれば、ユーザ機器（ＵＥ）は、上記ＨＡＲＱプロセスの前回の使用についてチェックを行い、これにより、ＨＡＲＱ受信機が新たな送信を再送信として解釈するという、エラーにつながり得るリスクが回避される。
【００２７】
本発明の他の目的、利点、及び新規の特徴は、次の本発明の詳細な説明から、添付の図面及び特許請求の範囲と併せて検討されると明らかとなるであろう。
【図面の簡単な説明】
【００２８】
前述の並びに他の本発明の目的、特徴、及び利点は、図面に示される好適な実施形態の次の詳細な説明から明らかであろう。
【００２９】
【図１】ＵＥによって実行される、一実施形態に係るダウンリンクについてのフローチャートを示す。
【図２】ＵＥによって実行される、一実施形態に係るアップリンクについてのフローチャートを示す。
【図３】基地局によって実行される、一実施形態に係るダウンリンクについてのフローチャートを示す。
【図４】基地局によって実行される、一実施形態に係るアップリンクについてのフローチャートを示す。
【図５】本発明の一実施形態に係るユーザ機器の図式的な説明図を示す。
【図６】本発明の一実施形態に係る基地局の図式的な説明図を示す。
【図７】ＵＥによって実行される、別の実施形態に係るダウンリンクについてのフローチャートを示す。
【図８】基地局によって実行される、別の実施形態に係るダウンリンクについてのフローチャートを示す。
【図９】基地局によって実行される、別の実施形態に係るアップリンクについてのフローチャートを示す。
【図１０】ＵＥによって実行される、別の実施形態に係るアップリンクについてのフローチャートを示す。
【発明を実施するための形態】
【００３０】
本発明は、本発明の実施形態の次の限定しない説明において例示され得る。
【００３１】
ユーザ機器（ＵＥ）をアドレッシングするために使用されるＣ−ＲＮＴＩ値に応じてＮＤＩビットの２つの異なる解釈が存在する問題に対する解決策は、前回の動的にスケジューリングされたＮＤＩ値を無視し、ＨＡＲＱプロセスがＳＰＳのために使用された後に動的スケジューリングについての最初のＰＤＣＣＨメッセージにおいて受信されるいずれのＮＤＩをも採用し、及び再送信ではなく新たな送信の試みとしてそれを解釈することである。ＨＡＲＱのエラーを回避するために必要な追加的な条件は、ＰＤＣＣＨメッセージが、ＳＰＳの非アクティブ化の後の動的スケジューリングについての最初のＰＤＣＣＨメッセージであることである。例えば、常に１若しくは常に０の所定のＮＤＩ値、又は０及び１のうちの任意の値のいずれかをもって開始することが可能である。
【００３２】
受信したＰＤＣＣＨのダウンリンク割当て若しくはアップリンク許可におけるＮＤＩ値が、（モジュロ２の動作を前提として）増加したか、あるいは同じく前回の値と比較して切り替えられたかを、ＵＥがチェックすることが予想される。即ち、ＮＤＩ値がそれぞれ０又は１である前回の値と比較して１又は０である場合、受信したＮＤＩ値は切り替えられている。
【００３３】
上述の本発明の実施形態によれば、このチェックは、ＨＡＲＱプロセスが前回の送信において動的にスケジューリングされた送信によって占有された場合にのみ実行される。一方、前回はリソースが半永続的な送信のために使用され、今回は動的な送信が実行されることになると検知される場合、本発明のこの実施形態によれば、ＵＥは、（受信したＰＤＣＣＨの割当て又は許可におけるＮＤＩ値に関わらず）ＮＤＩ値を切り替えられたと見なし、アップリンクの場合については新たな送信を実行し、ダウンリンクの場合については受信した送信信号を新たな送信として扱うべきである。
【００３４】
この実施形態は、次に従って実装され得る：
【００３５】
ダウンリンクについて：
【００３６】
ＤＬ割当ての受信
ＰＤＣＣＨ上を送信されるダウンリンク割当ては、特定のＵＥについてＤＬ−ＳＣＨ上に送信が存在するかを指示し、関連するＨＡＲＱの情報を提供する。
【００３７】
ＵＥがＣ−ＲＮＴＩ、半永続的なスケジューリングのＣ−ＲＮＴＩ、又はテンポラリＣ−ＲＮＴＩを有する場合であって、アクティブな時間の間の各ＴＴＩについて、ランダムアクセス応答若しくは競合解決が期待されているときの各ＴＴＩについて、及びＤＬ割当てが設定された各ＴＴＩについて、ＵＥは：
−ＵＥのＣ−ＲＮＴＩ又はテンポラリＣ−ＲＮＴＩについて、このＴＴＩについてのダウンリンク割当てがＰＤＣＣＨ上で受信された場合であって：
−ＵＥのＣ−ＲＮＴＩについて、前回の受信したダウンリンク割当て以降、同じＨＡＲＱプロセスについて半永続的なリソースが発生したとき：
−ＮＤＩの値に関わらずＮＤＩを切り替えられていると見なす；
−このＴＴＩについて、ＨＡＲＱエンティティにダウンリンク割当ての存在を指示し、関連するＨＡＲＱの情報を配信する。
【００３８】
ダウンリンクについて、ＳＰＳのリソースが発生し得る３通りの状況が原則として存在し、即ち
−新たなＳＰＳ送信を指示する、ＵＥの半永続的なスケジューリングのＲＮＴＩについてのＤＬ割当てが受信され、そのため、半永続的なスケジューリングのリソースは、（再）設定／アクティブ化される；
−半永続的なスケジューリングのＨＡＲＱ再送信を指示するＵＥの半永続的なスケジューリングのＣ−ＲＮＴＩについてのＤＬ割当て；
−設定されたＳＰＳダウンリンク割当ての再発生、及び（再）設定／アクティブ化の後のスケジューリングダウンリンク割当ての周期に従って発生する関連するＳＰＳのリソース。
【００３９】
アップリンクについて：
【００４０】
ＵＬ許可の受信
ＵＬ−ＳＣＨ上で送信を行うために、ＰＤＣＣＨ上若しくはランダムアクセス応答内で動的に受信し得るか、又は半永続的に設定され得る（非適応的なＨＡＲＱ再送信を除く）有効なアップリンク許可を、ＵＥは、有していなければならない。要求された送信を実行するため、ＭＡＣレイヤは、より低いレイヤからＨＡＲＱの情報を受信する。
【００４１】
ＵＥがＣ−ＲＮＴＩ、半永続的なスケジューリングのＣ−ＲＮＴＩ、又はテンポラリＣ−ＲＮＴＩを有する場合、各ＴＴＩについて、ＵＥは：
−ＵＥのＣ−ＲＮＴＩ、半永続的なスケジューリングのＣ−ＲＮＴＩ、若しくはテンポラリＣ−ＲＮＴＩについて、このＴＴＩについてのアップリンク許可がＰＤＣＣＨ上で受信された場合；又は
−このＴＴＩについてのアップリンク許可がランダムアクセス応答内で受信された場合であって：
−ＵＥのＣ−ＲＮＴＩについて、前回の受信したアップリンク許可以降、同じＨＡＲＱプロセスについて半永続的なリソースが発生したとき：
−ＮＤＩの値に関わらずＮＤＩを切り替えられていると見なす；
−このＴＴＩについて、ＨＡＲＱエンティティにアップリンク許可及び関連するＨＡＲＱの情報を配信する。
【００４２】
また、アップリンクについて、ＳＰＳのリソースが発生し得る３通りの状況が原則として存在し、即ち
−新たなＳＰＳ送信を指示する、ＵＥの半永続的なスケジューリングのＣ−ＲＮＴＩについてのＵＬ許可が受信され、そのため、半永続的なスケジューリングのリソースは、（再）設定／アクティブ化される；
半永続的なスケジューリングのＨＡＲＱ再送信を指示するＵＥの半永続的なスケジューリングのＣ−ＲＮＴＩについてのＵＬ許可；
−設定されたＳＰＳアップリンク許可の再発生、及び（再）設定／アクティブ化の後のスケジューリングアップリンク許可の周期に従って発生する関連するＳＰＳのリソース。
【００４３】
ＭＡＣプロトコルについての目下のＥ−ＵＴＲＡの標準仕様（ＴＳ３６．３２１  ｖ８．２．０）によれば、動的な送信が実行されようとしていることの識別子は、Ｃ−ＲＮＴＩ（セル無線ネットワークテンポラリアイデンティティ）、テンポラリＣ−ＲＮＴＩ、又はＲＡ−ＲＮＴＩの値である。
【００４４】
一方、ＳＰＳ  Ｃ−ＲＮＴＩが受信されると、半永続的なプロセスについての再送信が実行されることになる。
【００４５】
ＨＡＲＱは、ダウンリンクにおいて非同期であり、スケジューラは、どういった所与の時点においてもどのようなＨＡＲＱプロセスでも自由にスケジューリングできることを意味する。そのため、ＨＡＲＱプロセスのＩＤがシグナリングされなければならない。
【００４６】
アップリンクにおいて、ＨＡＲＱは、同期しており、ＨＡＲＱプロセスは、タイミングパターンを有することを意味する。そのため、ＨＡＲＱプロセスのＩＤは、ＰＤＣＣＨのシグナリングがなくても既知である。
【００４７】
図１は、ＵＥによって実行されるダウンリンクについての本発明の実施形態を示す。第１のステップにおいて、ＵＥは、ＤＬ割当てをＰＤＣＣＨ上で受信する。この割当てのために使用されるＲＮＴＩは、動的にスケジューリングされる送信を指示する。ＨＡＲＱプロセスのＩＤは、ＰＣＣＣＨの割当てに含まれており、ＵＥは、そこからそれを取得して、正しいプロセスを選択する。ＳＰＳのリソース上で特定のＨＡＲＱプロセスについての前回の受信（ＲＸ）があった場合、ＵＥは、ＮＤＩフラグを切り替えられたと見なし、受信した送信信号が新たな送信として扱われることを意味する。
【００４８】
図２は、ＵＥによって実行されるアップリンクについての本発明の実施形態を示す。第１のステップにおいて、ＵＬ許可は、ＰＤＣＣＨ上で受信される。この許可のために使用されるＲＮＴＩは、動的にスケジューリングされる送信を指示する。ＨＡＲＱプロセスのＩＤは、許可のタイミングと連動しており、ＵＥは、どのプロセスを所与のＴＴＩ（送信時間間隔）において使用すべきかを知っている。ＳＰＳのリソース上で特定のＨＡＲＱプロセスについての前回の送信（ＴＸ）があった場合、ＵＥは、ＮＤＩフラグを切り替えられたと見なし、次のステップにおいて、対象とするＴＴＩについて、アップリンク許可及びＨＡＲＱの情報をＨＡＲＱエンティティに指示する。
【００４９】
図３は、基地局によって実行されるダウンリンクについての本発明の実施形態を示す。第１のステップにおいて、動的ダウンリンク送信がスケジューリングされる。ＵＥへのダウンリンク割当てのために使用されるＲＮＴＩは、動的にスケジューリングされる送信を指示する。ＳＰＳのリソース上で特定のＨＡＲＱプロセスについての前回の送信（ＴＸ）があった場合、ＮＤＩ値は、１若しくは０のいずれか、又は０及び１のうちの任意の値に設定される。その後、基地局は、ダウンリンク割当ての送信及びＨＡＲＱ送信を進める。
【００５０】
図４は、基地局によって実行されるアップリンクについての本発明の実施形態を示す。第１のステップにおいて、動的アップリンク送信がスケジューリングされる。アップリンク許可のために使用されるＲＮＴＩは、動的にスケジューリングされる送信を指示する。ＳＰＳのリソース上で特定のＨＡＲＱプロセスについての前回の受信（ＲＸ）があった場合、ＮＤＩ値は、１若しくは０のいずれか、又は０及び１のうちの任意の値に設定される。その後、基地局は、アップリンク許可の送信を進める。
【００５１】
図３及び４において示される実施形態において、再送信が要求される場合に同じ値を再度送信できるように、基地局は、各々のＨＡＲＱプロセスについてのステータスとして、設定したＮＤＩ値を採用する。その目的のため、基地局は、ＨＡＲＱのステータス情報の一部としてＮＤＩ値を記憶する。
【００５２】
図５は、本発明の実施形態に係るユーザ機器５００を図式的に示しており、ＵＥは送受信器５１０を含み、ＵＥは、送受信器５１０を介して当該ＵＥが接続されている基地局からダウンリンク割当て又はアップリンク許可を受信する。ＵＥは、例えばそのようなメッセージを物理ダウンリンク制御チャネル（ＰＤＣＣＨ）上で受信し得る。処理部５２０は、ダウンリンク割当て又はアップリンク許可の前回の受信以降、特定のＨＡＲＱプロセスについて半永続的なリソースが発生したかをチェックするよう構成される。処理部は、当該状況が満たされている場合、ダウンリンク割当て又はアップリンク許可に含まれるＮＤＩフラグを、ＮＤＩフラグの値に関わらず切り替えられていると見なすようさらに構成される。このようにしてＮＤＩフラグを切り替えられたと見なすことによって、ＵＥは、ダウンリンクの場合について受信したＨＡＲＱ送信信号を新たな送信として扱うであろう。アップリンクの場合について、ＵＥは、このＴＴＩについて、ＨＡＲＱエンティティにアップリンク許可を指示し、及び関連するＨＡＲＱの情報を配信するであろう。そのため、ＵＥは、ＳＰＳのために使用されたＨＡＲＱプロセスの後に動的スケジューリングについての最初の指示において受信されるフラグ（ＮＤＩ）の値を採用するための手段と、当該ＮＤＩフラグを切り替えられたと見なすための手段とを、この実施形態において含む。
【００５３】
図６は、本発明の実施形態に係る基地局６００を図式的に示しており、それは１つ以上のユーザ機器（ＵＥ）との間で通信するよう適合されている。基地局は、当該基地局に接続されているＵＥとの間の動的アップリンク又はダウンリンク送信をスケジューリングするよう構成されるスケジューリング部６０１を含む。基地局は、動的にスケジューリングされる送信が行われるであろうという指示をＵＥへのダウンリンク割当て又はアップリンク許可において送信するよう構成される送受信部６１０をさらに含む。処理部６２０は、ダウンリンク割当て又はアップリンク許可の前回の受信以降、特定のＨＡＲＱプロセスについて半永続的なリソースが発生したかをチェックし、当該状況が満たされている場合、ＮＤＩフラグの値に関わらず切り替えられたとＵＥ（５００）が見なすであろうＮＤＩ値を設定するよう構成される。
【００５４】
ユーザ機器（ＵＥ）をアドレッシングするために使用されるＲＮＴＩ値に依存してＮＤＩビットの２つの異なる解釈が存在する問題に対する別の解決策は、プロセスが半永続的なリソースの割当てに関連付けられている限り、動的にスケジューリングされる送信の最新の試みの最新のＮＤＩ値を受信者及び送信者側において記憶することであり得る。半永続的なスケジューリングについてのＨＡＲＱプロセスの使用後、動的にスケジューリングされるＨＡＲＱ送信が行われるように、記憶されているＮＤＩ値は、ＳＰＳの使用が取り消され、動的スケジューリングが適用される際に取得される必要がある。そのためこの実施形態によれば、動的なＮＤＩ値は、送信者及び受信者の両方において記憶され、ＨＡＲＱプロセスが以前ＳＰＳによって使用されてから最初に動的なプロセスとして使用される際に取得される必要がある。図７は、ＵＥによって実行されるダウンリンクについての本発明のこの別の実施形態を示す。ＵＥは、第１のステップにおいてＰＤＣＣＨ上でＤＬ割当てを受信する。ＨＡＲＱプロセスのＩＤは、ＰＣＣＣＨの割当てに含まれており、ＵＥは、そこからそれを取得して、正しいプロセスを選択する。ＳＰＳのリソース上で特定のＨＡＲＱプロセスについての前回の受信（ＲＸ）があった場合、対象とするＴＴＩについて、ＵＥは、記憶されている動的なＮＤＩ値をメモリから取得し、その後の最後のステップにおいて、ダウンリンク割当て及びＨＡＲＱの情報をＨＡＲＱプロセスに指示する。
【００５５】
図８は、ｅＮｏｄｅＢのような基地局によって実行されるダウンリンクについての本発明のこの別の実施形態を示す。第１のステップにおいて、動的ダウンリンク送信がスケジューリングされる。ＳＰＳのリソース上で特定のＨＡＲＱプロセスについての前回の送信（ＴＸ）があった場合、基地局は、記憶されている動的なＮＤＩ値をメモリから取得し、その後ダウンリンク割当て及びＨＡＲＱ送信を進める。
【００５６】
図９は、基地局によって実行されるアップリンクについての本発明のこの別の実施形態を示す。第１のステップにおいて、動的なアップリンク送信がスケジューリングされる。ＳＰＳのリソース上で特定のＨＡＲＱプロセスについての前回の受信（ＲＸ）があった場合、基地局は、記憶されている動的なＮＤＩ値をメモリから取得し、その後アップリンク許可の送信を進める。
【００５７】
そのため、この別の実施形態に係る基地局によって実行される方法は、プロセスが半永続的なリソースの割当てに関連付けられている限り動的スケジューリングのために使用される、最新のＮＤＩ値を記憶するステップを含む。記憶されているＮＤＩ値は、ＳＰＳの使用が取り消され、動的スケジューリングが適用される際に取得される。
【００５８】
図１０は、ＵＥによって実行されるアップリンクについての本発明のこの別の実施形態を示す。ＵＥは、第１のステップにおいてＰＤＣＣＨ上でＵＬ許可を受信する。ＨＡＲＱプロセスのＩＤは、ＰＣＣＣＨの許可に含まれており、ＵＥは、そこからそれを取得して、正しいプロセスを選択する。ＳＰＳのリソース上で特定のＨＡＲＱプロセスについての前回の送信（ＴＸ）があった場合、対象とするＴＴＩについて、ＵＥは、記憶されている動的ＮＤＩ値をメモリから取得し、その後の最後のステップにおいて。アップリンク許可及びＨＡＲＱの情報をＨＡＲＱプロセスに指示する
【００５９】
当該別の実施形態において、ＵＥは、ＨＡＲＱプロセスが半永続的なリソースの割当てに関連付けられている限りフラグ（ＮＤＩ）の値を記憶するためのメモリのような手段と、記憶されているＮＤＩ値を、ＳＰＳの使用が取り消され、動的スケジューリングが適用される際に取得するための処理部のような手段とを含み得る。
【００６０】
当該別の実施形態に係る基地局は、ＨＡＲＱプロセスが半永続的なリソースの割当てに関連付けられている限りフラグ（ＮＤＩ）の値を記憶するための手段と、記憶されているＮＤＩ値を、ＳＰＳの使用が取り消され、動的スケジューリングが適用される際に取得するための手段とを含み得る。
【００６１】
一方、問題に対するまた別の解決策は、同じＨＡＲＱプロセスのＩＤをそのまま使用するものの、各々のＲＮＴＩ、即ちＳＰＳ  Ｃ−ＲＮＴＩ又はＣ−ＲＮＴＩが、ＳＰＳ又は動的スケジューリングのいずれかについてのＨＡＲＱプロセスの認識に対する追加的なポインタとして使用されるというやり方で、ＳＰＳ及び動的スケジューリングについてのＨＡＲＱプロセスを区別することであろう。これは、各ＨＡＲＱプロセスに属する状態変数が互いに独立して扱われることを含む。基本的に、２つのＨＡＲＱプロセスのインスタンスは、同時にかつ互いに独立して動作し得る。例えば、動的スケジューリングについてＳＰ−ＮＤＩ変数及び通常のＮＤＩ変数の両方が存在するであろう。同様に、双方のプロセスのソフトバッファは、独立して使用されるであろう。
【００６２】
本発明は、ここで具体的に説明されている以外のやり方で、本発明の本質的な特徴から逸脱することなく実行されてもよい。本実施形態は、全ての点において説明のためであり限定しないものと見なされるべきである。
【図１】
0005001462.tif 000002
【図２】
0005001462.tif 000003
【図３】
0005001462.tif 000004
【図４】
0005001462.tif 000005
【図５】
0005001462.tif 000006
【図６】
0005001462.tif 000007
【図７】
0005001462.tif 000008
【図８】
0005001462.tif 000009
【図９】
0005001462.tif 000010
【図１０】
0005001462.tif 000011